(57)【特許請求の範囲】
【請求項１】
主水路の下流部に設けられた主水路ゲートと、主水路から分岐して設けられ排水ポンプに接続された排水路と、この排水路の下流部に設けられた排水路ゲートとを備えた排水システムに設けられ；前記主水路から前記排水路が分岐する分岐部に設けられたスクリーンを有し；前記主水路から前記排水路への異物の流入を防止する排水システムの防塵設備において、前記スクリーンに付着した異物を水中にて掻き取り、前記主水路の下流側に流すスクリーン除塵機構を備え、前記スクリーン除塵機構は、前記スクリーンに付着した異物を掻き取るためのレーキと、このレーキを前記主水路の流れ方向に駆動させる駆動手段とを有し、前記スクリーンは、互いに上下方向の所定間隔をおいて略水平方向に配置された複数のバー部材と、これら複数のバー部材を保持する保持部材とを有しており、前記スクリーン除塵機構の駆動手段は、前記レーキを略水平方向に駆動させ、前記スクリーンの複数のバー部材のそれぞれは、流れ方向に向かって前縁のほうが後縁より低くなるように傾斜して配置されており、かつ、一のバー部材の前縁の高さは、該一のバー部材の下方に隣接するバー部材の後縁の高さ以下となるように配置されていることを特徴とする排水システムの防塵設備。
【請求項２】
主水路の下流部に設けられた主水路ゲートと、主水路から分岐して設けられ排水ポンプに接続された排水路と、この排水路の下流部に設けられた排水路ゲートとを備えた排水システムに設けられ；前記主水路から前記排水路が分岐する分岐部に設けられたスクリーンを有し；前記主水路から前記排水路への異物の流入を防止する排水システムの防塵設備において、前記スクリーンに付着した異物を水中にて掻き取り、前記主水路の下流側に流すスクリーン除塵機構を備え、前記スクリーン除塵機構は、前記スクリーンに付着した異物を掻き取るためのレーキと、このレーキを前記主水路の流れ方向に駆動させる駆動手段とを有し、前記スクリーンは、互いに上下方向の所定間隔をおいて略水平方向に配置された複数のバー部材と、これら複数のバー部材を保持する保持部材とを有しており、前記スクリーン除塵機構の駆動手段は、前記レーキを略水平方向に駆動させ、前記スクリーンの複数のバー部材のそれぞれは、鉛直横断面が略への字型となるような屈曲形状を備えるとともに、流れ方向に対する前縁側及び後縁側が水平方向に対して傾斜するように配置されていることを特徴とする排水システムの防塵設備。
【請求項３】
請求項１記載の排水システムの防塵設備において、前記主水路の前記分岐部より下流側に設けられ、前記スクリーンから掻き取られ前記主水路の下流側に流された異物の逆流を防止するための、整流部材をさらに有することを特徴とする排水システムの防塵設備。
【請求項４】
主水路の下流部に設けられた主水路ゲートと、主水路から分岐して設けられ排水ポンプを備えている排水路と、この排水路の下流部に設けられた排水路ゲートとを備えた排水システムに設けられ；前記主水路から前記排水路が分岐する分岐部に設けられたスクリーンを有し；前記主水路から前記排水路への異物の流入を防止する排水システムの防塵設備において、前記スクリーンは、互いに水平方向の所定間隔をおいて略上下方向に配置された複数のバー部材と、これら複数のバー部材を保持する保持部材とを有しており、かつ、前記複数のバー部材のそれぞれは、水平断面上において流れ方向に向かって所定の傾斜角をもつように配置されるとともに、水平断面上において一のバー部材の前縁の位置と該一のバー部材に隣接するバー部材の後縁の位置とが流れ方向において重畳するように配置されていることを特徴とする排水システムの防塵設備。
【請求項５】
主水路の下流部に設けられた主水路ゲートと、主水路から分岐して設けられ排水ポンプを備えている排水路と、この排水路の下流部に設けられた排水路ゲートとを備えた排水システムに設けられ；前記主水路から前記排水路が分岐する分岐部に設けられたスクリーンを有し；前記主水路から前記排水路への異物の流入を防止する排水システムの防塵設備において、前記スクリーンは、互いに水平方向の所定間隔をおいて略上下方向に配置された複数のバー部材と、これら複数のバー部材を保持する保持部材とを有しており、かつ、前記複数のバー部材のそれぞれは、水平横断面が略への字型となるような屈曲形状を備えるとともに、流れ方向に対する前縁側及び後縁側の水平横断面形状が流れ方向に対し傾斜するように配置されていることを特徴とする排水システムの防塵設備。
【発明の詳細な説明】
【０００１】
【発明の属する技術分野】
本発明は、例えば、河川から分岐して設けられたバイパス水路に設置した排水機場に有害な異物が侵入するのを防止するための、排水システムの防塵設備に関する。
【０００２】
【従来の技術】
一般に、この種の排水システムにおいては、河川・水路等から分岐してバイパス水路を設け、このバイパス水路に設置した排水機場のポンプにより強制的に排水を行う。ここで、排水運転中に有害な異物をポンプが吸込むと、羽根車の閉塞や隙間への噛み込みなどを引き起こす恐れがあることから、ポンプ上流側で防塵を行う必要がある。このような排水システムの防塵に関する公知技術としては、例えば、以下のものがある。
特開平２−１２０４３０号公報
この公知技術は、主水路である自然排水路から分岐するバイパス水路入口にスクリーンを設けて排水時におけるポンプの防塵を行うものである。このとき、排水時にスクリーンに付着した異物は、自然排水時に自然排水路側に流されるようになっている。
【０００３】
【発明が解決しようとする課題】
しかしながら、上記公知技術には以下の課題が存在する。
すなわち、スクリーンで付着した異物は、排水運転が終了した後の自然排水時に自然排水路側に流すようになっており、排水運転中にはスクリーン内に順次溜まるようになっている。よって、排水運転が長時間にわたったり大規模な排水を行う場合には、排水運転中にスクリーンの流れ抵抗が大きくなったり閉塞したりする可能性がある。よって結局、排水運転中に適宜スクリーンから異物を取り除いて地上に引き上げる必要がある。
そして、一旦、地上に引き上げた異物を河川にもどすことは法規上許容されないので、ベルトコンベア・ホッパ等の設備により運搬・貯蔵され、最終的に産業廃棄物として処理される。すなわち、膨大な量の産業廃棄物を処理しなければならなくなるので、処理費用がかさみ、不経済である。
【０００４】
本発明の第１の目的は、安価に防塵を行うことができる排水システムの防塵設備を提供することである。
【０００５】
本発明の第２の目的は、スクリーンの異物を地上に上げることなく、安価に防塵を行うことができる排水システムの防塵設備を提供することである。
【０００６】
本発明の第３の目的は、地上に引き上げる異物の量を低減することにより、安価に防塵を行うことができる排水システムの防塵設備を提供することである。
【０００７】
【課題を解決するための手段】
上記の目的を達成するために、第１の発明は、主水路の下流部に設けられた主水路ゲートと、主水路から分岐して設けられ排水ポンプに接続された排水路と、この排水路の下流部に設けられた排水路ゲートとを備えた排水システムに設けられ；前記主水路から前記排水路が分岐する分岐部に設けられたスクリーンを有し；前記主水路から前記排水路への異物の流入を防止する排水システムの防塵設備において、前記スクリーンに付着した異物を水中にて掻き取り、前記主水路の下流側に流すスクリーン除塵機構を備え、前記スクリーン除塵機構は、前記スクリーンに付着した異物を掻き取るためのレーキと、このレーキを前記主水路の流れ方向に駆動させる駆動手段とを有し、前記スクリーンは、互いに上下方向の所定間隔をおいて略水平方向に配置された複数のバー部材と、これら複数のバー部材を保持する保持部材とを有しており、前記スクリーン除塵機構の駆動手段は、前記レーキを略水平方向に駆動させ、前記スクリーンの複数のバー部材のそれぞれは、流れ方向に向かって前縁のほうが後縁より低くなるように傾斜して配置されており、かつ、一のバー部材の前縁の高さは、該一のバー部材の下方に隣接するバー部材の後縁の高さ以下となるように配置されていることを特徴とする。
【０００８】
また、第２の発明は、主水路の下流部に設けられた主水路ゲートと、主水路から分岐して設けられ排水ポンプに接続された排水路と、この排水路の下流部に設けられた排水路ゲートとを備えた排水システムに設けられ；前記主水路から前記排水路が分岐する分岐部に設けられたスクリーンを有し；前記主水路から前記排水路への異物の流入を防止する排水システムの防塵設備において、前記スクリーンに付着した異物を水中にて掻き取り、前記主水路の下流側に流すスクリーン除塵機構を備え、前記スクリーン除塵機構は、前記スクリーンに付着した異物を掻き取るためのレーキと、このレーキを前記主水路の流れ方向に駆動させる駆動手段とを有し、前記スクリーンは、互いに上下方向の所定間隔をおいて略水平方向に配置された複数のバー部材と、これら複数のバー部材を保持する保持部材とを有しており、前記スクリーン除塵機構の駆動手段は、前記レーキを略水平方向に駆動させ、前記スクリーンの複数のバー部材のそれぞれは、鉛直横断面が略への字型となるような屈曲形状を備えるとともに、流れ方向に対する前縁側及び後縁側が水平方向に対して傾斜するように配置されていることを特徴とする。
【０００９】
更に、第３の発明は、第１の発明において、前記主水路の前記分岐部より下流側に設けられ、前記スクリーンから掻き取られ前記主水路の下流側に流された異物の逆流を防止するための、整流部材をさらに有することを特徴とする。
【００１０】
また、第４の発明は、主水路の下流部に設けられた主水路ゲートと、主水路から分岐して設けられ排水ポンプを備えている排水路と、この排水路の下流部に設けられた排水路ゲートとを備えた排水システムに設けられ；前記主水路から前記排水路が分岐する分岐部に設けられたスクリーンを有し；前記主水路から前記排水路への異物の流入を防止する排水システムの防塵設備において、前記スクリーンは、互いに水平方向の所定間隔をおいて略上下方向に配置された複数のバー部材と、これら複数のバー部材を保持する保持部材とを有しており、かつ、前記複数のバー部材のそれぞれは、水平断面上において流れ方向に向かって所定の傾斜角をもつように配置されるとともに、水平断面上において一のバー部材の前縁の位置と該一のバー部材に隣接するバー部材の後縁の位置とが流れ方向において重畳するように配置されていることを特徴とする。
【００１１】
更に、第５の発明は、主水路の下流部に設けられた主水路ゲートと、主水路から分岐して設けられ排水ポンプを備えている排水路と、この排水路の下流部に設けられた排水路ゲートとを備えた排水システムに設けられ；前記主水路から前記排水路が分岐する分岐部に設けられたスクリーンを有し；前記主水路から前記排水路への異物の流入を防止する排水システムの防塵設備において、前記スクリーンは、互いに水平方向の所定間隔をおいて略上下方向に配置された複数のバー部材と、これら複数のバー部材を保持する保持部材とを有しており、かつ、前記複数のバー部材のそれぞれは、水平横断面が略への字型となるような屈曲形状を備えるとともに、流れ方向に対する前縁側及び後縁側の水平横断面形状が流れ方向に対し傾斜するように配置されていることを特徴とする。
【００２５】
【発明の実施の形態】
以下、本発明の実施形態を図面を参照しつつ説明する。
本発明の第１の実施形態を図１〜図７により説明する。本実施形態は、河川から分岐するバイパス水路に排水機場を設けて排水を行う排水システムの防塵設備の実施形態である。
本実施形態の防塵設備が適用される排水システムを示す配置平面図を図１に示す。図１において、海７に流れ込む河川４が増水した時に対応できるように排水システムが設けられている。すなわち排水システムは、河川４下流部の海７との接続部に設けられたゲート２と、河川４から分岐して設けられたバイパス水路５と、バイパス水路の途中に設けられ排水ポンプを備えている排水機場１と、バイパス水路５下流部の海７との接続部に設けられたゲート３とを備えており、降雨時や洪水時にゲート２を閉じるとともにゲート３を開き、排水機場１に設置された排水ポンプで河川４の水を海７に強制的に排水することにより、河川４の流域の冠水被害を防止するものである。
【００２６】
本実施形態による防塵設備は、上記排水システムに設けられ、河川４からバイパス水路５への異物の流入を防止し、排水機場１内のポンプの破損・不具合を防止するものである。すなわち本実施形態の防塵設備は、河川４からバイパス水路５が分岐する分岐部に設けられたメインスクリーン６及びサブスクリーン１６Ｌ，Ｒと、これらのメインスクリーン６及びサブスクリーン１６Ｌ，Ｒに付着した異物を水中で掻き取り、河川４の下流側に流す除塵機８とを備えている。
【００２７】
メインスクリーン６、サブスクリーン１６Ｌ，Ｒ、及び除塵機８付近の詳細構造を図２〜図４に示す。図２は、メインスクリーン６、サブスクリーン１６Ｌ，Ｒ、及び除塵機８付近の構造を表す水平断面図であり、図３は、図２中Ａ方向からみた矢視図であり、図４は、図３中レーキ１１及びチェーン２１を取り外した状態を示す図である。
図２に示すように、メインスクリーン６は、互いに上下方向の所定間隔をおいて略水平方向に配置された複数のバー部材９と、これら複数のバー部材９を保持するサポート１０とから構成されている。またサブスクリーン１６Ｌ，Ｒは、メインスクリーン６より若干前面に張り出すように、壁面３１Ｌ，３１Ｒに固定されており、それぞれ、互いに上下方向の所定間隔をおいて略水平方向に配置された複数のバー部材１９Ｌ，Ｒによって構成されている。また、これらバー部材１９Ｌ，Ｒは、先端付近がメインスクリーン６のバー部材９の左右端に近接して配置されている。
また、図２〜図４に示すように、除塵機８は、メインスクリーン６に付着する異物１３を掻き取るための複数のレーキ１１と、これら複数のレーキ１１を連結するチェーン２１と、チェーン２１を介し各レーキ１１を河川４の流れ方向に駆動するように回転する回転ドラム１２を備えている。すなわち、２つの回転ドラム１２，１２のうちの一方が図示しないモータに接続されて図３中反時計方向に回転し（矢印参照）、これに応じてレーキ１１が図４中の左側から右側へと移動する。このとき、図５に示すように、各レーキ１１は、メインスクリーン６近傍を移動するときは、内周側がメインスクリーン６のバー部材９の表面をこすってバー部材９に付着した異物１３を掻き取りながら移動し、またサブスクリーン１６Ｌ，Ｒの近傍を移動するときは、外周側がサブスクリーン１６Ｌ，Ｒのバー部材１９に付着した異物１３を掻き取りながら移動する。これにより、異物１３が図３及び図４中の左側から右側へと運ばれ、図３及び図４の右側に示される回転ドラム１２においてレーキ１１が回り込むときにレーキ１１から離れ、河川４の下流側へと流される。
【００２８】
次に、上記のように構成した本実施形態の作用効果を以下に説明する。
まず、本実施形態の第１の比較例として、従来の排水システム及びその防塵設備の一例を示す配置平面図を図６に示す。図６は本実施形態の図１に対応する図であり、図１と同等の部材には同一の符号を付す。
図６において、図１に示した本実施形態の排水システムの防塵設備と異なる点は、メインスクリーン５６及びサブスクリーン（図示せず）が河川４とバイパス水路５との分岐部でなく、バイパス水路５の途中に設けられていること；このメインスクリーン５６が、特に図示しないが、互いに水平方向の所定間隔をおいて略鉛直方向に配置された複数のバー部材と、これら複数のバー部材を保持するサポートとから構成されており、サブスクリーンは互いに水平方向の所定間隔をおいて略鉛直方向に配置された複数のバー部材で構成されていること；メインスクリーン５６に付着した異物を地上に引き上げる除塵機５７が設けられていること；この除塵機５７には、特に図示しないが、図３及び図４に示したレーキ１１と異なり、鉛直方向に動作して河川４から地上に異物を掻き上げるレーキが設けられていることである。その他の構成は、図１に示した本実施形態の防塵設備の構成とほぼ同様である。
【００２９】
上記比較例の構成において、通常時は、バイパス水路５下流部のゲート３が閉じられるとともに河川４下流部のゲート２が開かれ、このゲート２を介して自然排水が行われる。そして例えば降雨時等で河川４が増水したときには、ゲート２が閉じられると共にゲート３が開かれ、排水機場１の排水ポンプが運転されてゲート３を介し強制的に排水が行われる。これにより、河川４から水があふれて流域に冠水被害をもたらすのが未然に防止される。このとき、河川４からバイパス水路５へ流入してきた異物は、メインスクリーン６で引っかけられて排水機場１内への流入を阻止されるので、異物が排水ポンプ内へ侵入することがなく、ポンプの破損・不具合等の発生が防止される。
ここで、メインスクリーン６に付着した異物は、すべて除塵機５７によって地上に引き上げられるが、一旦、地上に引き上げた異物を河川４にもどすことは法規上許容されないので、ベルトコンベア・ホッパ等の設備により運搬・貯蔵され、最終的に産業廃棄物として処理（例えば焼却）される。したがって、排水ポンプ運転の際には、膨大な量の産業廃棄物を処理しなければならなくなり、特にポンプが大型化すると処理費用がかさむことから、不経済であった。
【００３０】
また、図６に示した第１の比較例の排水システム及び防塵設備のほか、特開平２−１２０４３０号公報に示されるように、自然排水路から分岐するバイパス水路入口にメインスクリーンを設けてポンプの防塵を行い、排水時にメインスクリーンに付着した異物を、自然排水時に自然排水路側に流す構成もある。この構成を河川の排水システムに適用した場合の構成を、第２の比較例として図７に示す。
図７に示す構成の場合、排水運転中にバイパス水路５へ異物が流入するのが阻止されるが、この際メインスクリーン６内に異物が順次溜まっていくことになる。よって、排水運転が長時間にわたったり大規模な排水を行う場合には、メインスクリーン６の流れ抵抗が大きくなったり閉塞したりする可能性がある。よって、結局、排水運転中に図示しない除去手段で適宜メインスクリーン６から異物を取り除き地上に引き上げる必要が生じ、第１の比較例同様、産業廃棄物としての処理費用がかさむこととなる。
【００３１】
これらに対し、図１〜図４に示した本実施形態の防塵設備においては、排水ポンプ運転時に、河川４からバイパス水路５へと流入しようとする異物１３は、分岐部に設けられたメインスクリーン６でひっかけられ付着して流入を阻止され、さらにこの付着した異物１３は、除塵機８のレーキ１１によって水中でメインスクリーン６から掻き取られ、河川４の下流側に順次流される。すなわち、掻き取られた異物１３は、河川４のメインスクリーン６より下流側でかつゲート２より上流側に滞留する（図３参照）。そして、排水ポンプの運転が終了し、再度、バイパス水路５下流部のゲート３が閉じられるとともに河川４下流部のゲート２が開かれるときに、滞留していた異物１３をゲート２を介し海７に排出する。
したがって、排水ポンプ運転時にも、異物１３によってメインスクリーン６の流れ抵抗が大きくなってメインスクリーン前後に大きな水位差が発生したり、メインスクリーン６が閉塞したりすることがないので、上記２つの比較例のように適宜メインスクリーン６から異物１３を取り除き地上に引き上げ産業廃棄物として処理する必要がない。したがって、安価に防塵を行うことができ、また防塵設備全体の簡素化を図ることができる。
【００３２】
本発明の第２の実施形態を図８により説明する。本実施形態は、異物の逆流防止を図った実施形態である。第１の実施形態と同等の部材には同一の符号を付す。
本実施形態の防塵設備及びこれが適用される排水システムを示す配置平面図を図８に示す。図８は第１の実施形態の図１に相当する図である。
図８において、第１の実施形態と異なる点は、河川４とバイパス水路５との分岐部より下流側に、メインスクリーン６から掻き取られ河川４の下流側に流された異物１３の逆流を防止するための整流部材２１４を設けたことである。その他の点は、第１の実施形態とほぼ同様である。
【００３３】
本実施形態によれば、防塵機８によって掻き流された異物１３が、バイパス水路５を介して排水機場１へと向かう流れによって、再びメインスクリーン６に付着するのを防止する。よって、メインスクリーン６の流れ抵抗の増大や閉塞等をさらに確実に防止でき、除塵機８の除塵容量を小さく抑えることができるので、さらにコストダウン・簡素化を図れる。
【００３４】
本発明の第３の実施形態を図９〜図１２により説明する。本実施形態は、除塵機を省略するとともに、異なる構造のメインスクリーンを設けた実施形態である。第１及び第２の実施形態と同等の部材には同一の符号を付す。
本実施形態の防塵設備を構成するメインスクリーン３０６及びこれが適用される排水システムを示す配置平面図を図９に、メインスクリーン３０６付近の構造を図９中のＢ方向からみた矢視図を図１０に、メインスクリーン３０６の水平断面図を図１１に示す。
図９〜図１１において、本実施形態が第１の実施形態と異なる点は、除塵機８が除かれて防塵設備がメインスクリーン３０６のみにより構成されることと、メインスクリーン３０６のバー部材３０９のそれぞれは、水平断面上において流れ方向に向かって所定の傾斜角θをもつようにサポート３１０に取り付けられるとともに、水平断面上において１つのバー部材３０９の前縁３０９ａの位置と隣接するバー部材３０９の後縁３０９ｂの位置とが流れ方向（図１１中矢印方向）において長さｌ（ｌ≧０）だけ重畳するように配置されていることとである。その他の構造は、第１の実施形態とほぼ同様である。
【００３５】
本実施形態によれば、各バー部材３０９の前縁３０９ａどうしの間隔（目幅）Ｌが、各バー部材３０９どうしの最小距離Ｌoよりも大きくなる。よって、径が目幅Ｌより小さく長さが長い異物の通過を、通常の平行なメインスクリーン（例えば図２に示したメインスクリーン９と同様のもの）よりも防止・抑制できる。したがって、その分、バー部材３０９前縁３０９ａどうしの目幅Ｌを大きくとることができるので、メインスクリーン３０９に付着する異物の量を減少できる。よってすなわち、地上に引き上げられる異物の量を減少でき、その分処理費用を低減し安価に防塵を行うことができる。
【００３６】
なお、上記構成のバー部材の変形例として、図１２に示すように、バー部材３５９のそれぞれが、水平横断面が略への字型となるような屈曲形状を備えるとともに、流れ方向（図１２中矢印方向）に対する前縁側３５９Ａ及び後縁側３５９Ｂの水平横断面形状が流れ方向に対して傾斜するように配置する構成もある。
この場合、径が目幅Ｌより小さく長さが長い異物の通過防止・抑制効果をさらに向上できるので、その分さらに目幅Ｌを大きくでき、処理費用をさらに低減することができる効果がある。
【００３７】
本発明の第４の実施形態を図１３〜図１６により説明する。本実施形態も、第３の実施形態と同様、除塵機を省略するとともに、異なる構造のメインスクリーンを設けた実施形態である。第１〜第３の実施形態と同等の部材には同一の符号を付す。
本実施形態の防塵設備であるメインスクリーン４０６及びこれが適用される排水システムを示す配置平面図を図１３に、メインスクリーン４０６付近の構造を図１３中のＣ方向からみた矢視図を図１４に、メインスクリーン４０６の鉛直側断面図を図１５に示す。
図１３〜図１５において、本実施形態が第１の実施形態と異なる点は、除塵機８が除かれて防塵設備がメインスクリーン４０６のみにより構成されることと、メインスクリーン４０６のバー部材４０９のそれぞれは流れ方向に向かって前縁４０９ａのほうが後縁４０９ｂよりも低くなるように所定の傾斜角θをもってサポート４１０に取り付けられるとともに、１つのバー部材４０９の前縁４０９ａの高さが下方に隣接するバー部材４０９の後縁４０９ｂの高さ以下となるように配置されていることとである。その他の構造は、第１の実施形態とほぼ同様である。
【００３８】
本実施形態によっても、第３の実施形態と同様の効果を得る。
なお、上記構成のバー部材の変形例として、図１６に示すように、バー部材４５９のそれぞれが、鉛直横断面が略への字型となるような屈曲形状を備えるとともに、流れ方向に対する前縁側４５９Ａ及び後縁側４５９Ｂが水平方向に対して傾斜するように配置される構成もある。この場合、径が目幅Ｌより小さく長さが長い異物の通過防止・抑制効果をさらに向上できるので、その分さらに目幅Ｌを大きくでき、処理費用をさらに低減することができる効果がある。
また、上記したメインスクリーン４０９及び４５９を、第１及び第２の実施形態の構成に適用することもできる。すなわち、メインスクリーン４０９（又は４５９）に付着した異物１３を除塵機８で掻き取って河川４の下流側に流す構成としてもよい。これらの場合は、径が目幅Ｌより小さく長さが長い異物の通過防止・抑制効果によって、第１及び第２の実施形態に比し、メインスクリーン４０９（又は４５９）前縁４０９ａ（又は前縁側４５９Ａ）における目づまりや閉塞を確実に防止できる効果がある。
【００３９】
また、上記第１〜第４の実施形態においては、いずれも、河川４が海７に流れ込む場合を例にとって説明したが、これに限られない。すなわち、河川４が海でなく大河川に合流する場合や、あるいは、河川でなく水路４がさらなる大水路７に合流する場合等であっても適用することができ、これらの場合も同様の効果を得る。
【００４０】
【発明の効果】
本発明によれば、排水ポンプ運転時にも、異物によってスクリーンの流れ抵抗が大きくなってスクリーン前後に大きな水位差が発生したり、スクリーンが閉塞したりすることがないので、従来のように適宜スクリーンから異物を取り除き地上に引き上げる必要がない。したがって、安価に防塵を行うことができ、また防塵設備全体の簡素化を図ることができる。
【図面の簡単な説明】
【図１】本発明の第１の実施形態による防塵設備が適用される排水システムを示す配置平面図である。
【図２】図１に示されたスクリーン、サブスクリーン、及び除塵機付近の構造を表す水平断面図である。
【図３】図２中Ａ方向からみた矢視図である。
【図４】図３中レーキを取り外した状態を示す図である。
【図５】図３に示したレーキの、スクリーン及びサブスクリーンとの配置関係を表す斜視図である。
【図６】本発明の第１の実施形態の第１の比較例による、排水システム及びその防塵設備の一例を示す配置平面図である。
【図７】本発明の第１の実施形態の第２の比較例による、排水システム及びその防塵設備の一例を示す配置平面図である。
【図８】本発明の第２の実施形態による防塵設備及びこれが適用される排水システムを示す配置平面図である。
【図９】本発明の第３の実施形態による防塵設備及びこれが適用される排水システムを示す配置平面図である。
【図１０】図９に示されたスクリーン付近の構造をＢ方向からみた矢視図である。
【図１１】図９に示されたスクリーンの水平断面図である。
【図１２】バー部材の構成に関する変形例を表す水平断面図である。
【図１３】本発明の第４の実施形態のスクリーン及びこれが適用される排水システムを示す配置平面図である。
【図１４】図１３に示されたスクリーン付近の構造をＣ方向からみた矢視図である。
【図１５】図１４に示されたスクリーンの鉛直側断面図である。
【図１６】バー部材の構成に関する変形例を表す水平断面図である。
【符号の説明】
１              排水機場
２              ゲート（主水路ゲート）
３              ゲート（排水路ゲート）
４              河川（主水路）
５              バイパス水路（排水路）
６              メインスクリーン
７              海
８              除塵機（スクリーン除塵機構）
９              バー部材
１０            サポート（保持部材）
１１            レーキ
１２            回転ドラム（駆動手段）
１３            異物
１６Ｌ，Ｒ      サブスクリーン
１９Ｌ，Ｒ      バー部材
２１            チェーン
３１Ｌ，Ｒ      壁面
５６            メインスクリーン
５７            除塵機
２１４          整流用部材
３０６          スクリーン
３０９          バー部材
３０９ａ        前縁
３０９ｂ        後縁
３１０          サポート（保持部材）
３５９          バー部材
３５９Ａ        前縁側
３５９Ｂ        後縁側
４０６          スクリーン
４０９          バー部材
４０９ａ        前縁
４０９ｂ        後縁
４１０          サポート（保持部材）
４５９          バー部材
４５９Ａ        前縁側
４５９Ｂ        後縁側
Ｌ              目幅
Ｌo             バー部材どうしの最小距離
θ              傾斜角
【図１】
0003813227.tif 000002
【図２】
0003813227.tif 000003
【図３】
0003813227.tif 000004
【図４】
0003813227.tif 000005
【図５】
0003813227.tif 000006
【図６】
0003813227.tif 000007
【図７】
0003813227.tif 000008
【図８】
0003813227.tif 000009
【図９】
0003813227.tif 000010
【図１０】
0003813227.tif 000011
【図１１】
0003813227.tif 000012
【図１２】
0003813227.tif 000013
【図１３】
0003813227.tif 000014
【図１４】
0003813227.tif 000015
【図１５】
0003813227.tif 000016
【図１６】
0003813227.tif 000017